(57)【要約】  身体に装着したときの快適性を向上させることができるウェアラブル型の電子機器の装着バンドを提供することが目的である。  本実施形態に係る電子機器の装着バンド（２０）は、複数の第一ジグザグバネ（２１）と、複数の第二ジグザグバネ（２２）とを備える。複数の第一ジグザグバネ（２１）は、帯状又は環状に形成されたバンド本体（２６）の長さ方向を軸方向とすると共に、バンド本体（２６）の長さ方向及び幅方向に配列されて、バンド本体（２６）における長さ方向への伸縮部を形成する。複数の第二ジグザグバネ（２２）は、バンド本体（２６）の幅方向を軸方向とすると共に、バンド本体（２６）の長さ方向及び幅方向に配列されて、バンド本体（２６）における幅方向への伸縮部を形成すると共に、複数の第一ジグザグバネ（２１）とバネ定数が異なる。
2016166897.tif 000002
【特許請求の範囲】
【請求項１】
帯状又は環状に形成されたバンド本体の長さ方向を軸方向とすると共に、前記バンド本体の長さ方向及び幅方向に配列されて、前記バンド本体における長さ方向への伸縮部を形成する複数の第一ジグザグバネと、
前記バンド本体の幅方向を軸方向とすると共に、前記バンド本体の長さ方向及び幅方向に配列されて、前記バンド本体における幅方向への伸縮部を形成すると共に、前記複数の第一ジグザグバネとバネ定数が異なる複数の第二ジグザグバネと、
を備える電子機器の装着バンド。
【請求項２】
前記複数の第一ジグザグバネ及び前記複数の第二ジグザグバネは、前記バンド本体の長さ方向及び幅方向に延びる同一面上に形成されている、
請求項１に記載の電子機器の装着バンド。
【請求項３】
前記複数の第一ジグザグバネは、前記バンド本体の長さ方向に連なる複数の前記第一ジグザグバネを有し前記バンド本体の幅方向に並ぶ複数の第一バネ列を形成し、
前記複数の第二ジグザグバネは、前記バンド本体の幅方向に連なる複数の前記第二ジグザグバネを有し前記バンド本体の長さ方向に並ぶ複数の第二バネ列を形成し、
前記複数の第二ジグザグバネの各々は、前記複数の第一バネ列のうち、一の第一バネ列における隣り合う前記第一ジグザグバネの間の連結部と、前記一の第一バネ列の隣の他の前記第一バネ列における隣り合う前記第一ジグザグバネの間の連結部とを連結する、
請求項１又は請求項２に記載の電子機器の装着バンド。
【請求項４】
前記バンド本体は、帯状とされ、
前記バンド本体の長さ方向の一端部には、接続部が形成され、
前記バンド本体の長さ方向の他端部には、前記接続部と接続される被接続部が形成されている、
請求項１〜請求項３のいずれか一項に記載の電子機器の装着バンド。
【請求項５】
前記バンド本体は、環状とされている、
請求項１〜請求項３のいずれか一項に記載の電子機器の装着バンド。
【請求項６】
前記バンド本体には、電子機器本体が搭載される搭載部が形成されている、
請求項３〜請求項５のいずれか一項に記載の電子機器の装着バンド。
【請求項７】
前記搭載部に設けられ、前記電子機器本体を着脱する着脱部をさらに備える、
請求項６に記載の電子機器の装着バンド。
【請求項８】
前記バンド本体に形成され、前記電子機器本体と電気的に接続される導電パターンをさらに備える、
請求項６又は請求項７に記載の電子機器の装着バンド。
【請求項９】
前記第一ジグザグバネ及び前記第二ジグザグバネは、前記バンド本体の長さ方向及び前記バンド本体の幅方向に沿う板状とされている、
請求項１〜請求項８のいずれか一項に記載の電子機器の装着バンド。
【請求項１０】
前記第一ジグザグバネは、前記第二ジグザグバネよりもバネ定数が小さい、
請求項１〜請求項９のいずれか一項に記載の電子機器の装着バンド。
【請求項１１】
前記第二ジグザグバネは、前記第一ジグザグバネよりもバネ定数が小さい、
請求項１〜請求項９のいずれか一項に記載の電子機器の装着バンド。
【請求項１２】
前記第一ジグザグバネは、前記第二ジグザグバネと大きさが異なる、
請求項１〜請求項１１のいずれか一項に記載の電子機器の装着バンド。
【請求項１３】
前記第一ジグザグバネ及び前記第二ジグザグバネの外形形状は、平面視にて正八角形又は円形である、
請求項１〜請求項１２のいずれか一項に記載の電子機器の装着バンド。
【請求項１４】
前記第一ジグザグバネ及び前記第二ジグザグバネを形成する素線部は、板状又は丸棒状である、
請求項１〜請求項１３のいずれか一項に記載の電子機器の装着バンド。
【請求項１５】
電子機器本体と、
前記電子機器本体が搭載される装着バンドと、
を備え、
前記装着バンドは、
帯状又は環状に形成されたバンド本体の長さ方向を軸方向とすると共に、前記バンド本体の長さ方向及び幅方向に配列されて、前記バンド本体における長さ方向への伸縮部を形成する複数の第一ジグザグバネと、
前記バンド本体の幅方向を軸方向とすると共に、前記バンド本体の長さ方向及び幅方向に配列されて、前記バンド本体における幅方向への伸縮部を形成すると共に、前記複数の第一ジグザグバネとバネ定数が異なる複数の第二ジグザグバネとを有する、
電子機器。
【発明の詳細な説明】
【技術分野】
【０００１】
本願の開示する技術は、ウェアラブル型の電子機器の装着バンド及び電子機器に関する。
【背景技術】
【０００２】
昨今、腕時計型やブレスレット型などのウェアラブル型の電子機器が種々提案されている（例えば、特許文献１参照）。このようなウェアラブル型の電子機器において、身体へ装着される装着部材が硬質に形成されていると、装着部材を身体に装着したときの快適性が損なわれる虞がある。
【先行技術文献】
【特許文献】
【０００３】
【特許文献１】特開２０１５−５７１００号公報
【特許文献２】特開２００２−６１６９１号公報
【特許文献３】実開２０００−２５号公報
【特許文献４】特表２０１１−５１０７９３号公報
【発明の概要】
【発明が解決しようとする課題】
【０００４】
本願の開示する技術は、一つの側面として、身体に装着したときの快適性を向上させることができる電子機器の装着バンドを提供することを目的とする。
【課題を解決するための手段】
【０００５】
本願の開示する技術の一観点によれば、複数の第一ジグザグバネと、複数の第二ジグザグバネとを備える電子機器の装着バンドが提供される。複数の第一ジグザグバネは、帯状又は環状に形成されたバンド本体の長さ方向を軸方向とすると共に、バンド本体の長さ方向及び幅方向に配列されて、バンド本体における長さ方向への伸縮部を形成する。複数の第二ジグザグバネは、バンド本体の幅方向を軸方向とすると共に、バンド本体の長さ方向及び幅方向に配列されて、バンド本体における幅方向への伸縮部を形成すると共に、複数の第一ジグザグバネとバネ定数が異なる。
【発明の効果】
【０００６】
本願の開示する技術によれば、電子機器の装着バンドを身体に装着したときの快適性を向上させることができる。
【図面の簡単な説明】
【０００７】
【図１】第一実施形態に係る装着バンドを備えた電子機器の斜視図である。
【図２】図１に示される装着バンドのＡ部拡大図である。
【図３】図１に示される第一ジグザグバネの拡大図である。
【図４】図１に示される第二ジグザグバネの拡大図である。
【図５】図１に示される第一ジグザグバネの特性を説明する概念図である。
【図６】図１に示される第二ジグザグバネの特性を説明する概念図である。
【図７】図１に示される一の第一バネ列及び他の第一バネ列が第二ジグザグバネによって連結された構造の拡大図である。
【図８】図１に示される一の第二バネ列及び他の第二バネ列が第一ジグザグバネによって連結された構造の拡大図である。
【図９】第一実施形態に係る電子機器を手首に装着した状態を示す図である。
【図１０】第一実施形態に係る電子機器を腰に装着した状態を示す図である。
【図１１】第一実施形態に係る電子機器を頭に装着した状態を示す図である。
【図１２】図１に示される第一ジグザグバネの変形例を示す図である。
【図１３】図１に示される第二ジグザグバネの変形例を示す図である。
【図１４】図１に示される第一ジグザグバネの他の変形例を示す図である。
【図１５】図１に示される第二ジグザグバネの他の変形例を示す図である。
【図１６】第二実施形態に係る電子機器において電子機器本体を搭載部から取り外した状態を示す図である。
【図１７】図１６に示される電子機器において電子機器本体を搭載部に取り付けた状態を示す図である。
【図１８】第三実施形態に係る電子機器の斜視図である。
【図１９】第三実施形態に係る電子機器の変形例を示す図である。
【図２０】第四実施形態に係る装着バンドの斜視図である。
【図２１】図２０に示される装着バンドのＢ部拡大図である。
【発明を実施するための形態】
【０００８】
［第一実施形態］
はじめに、本願の開示する技術の第一実施形態を説明する。
【０００９】
図１に示される第一実施形態に係る電子機器１０は、ウェアラブル型の電子機器であり、装着バンド２０と、電子機器本体１１とを備える。
【００１０】
装着バンド２０は、例えば、腕、腰、頭などの身体の所定部位へ装着されるものであり、Ｌ方向を長さ方向としＷ方向を幅方向とする帯状に形成されている。この装着バンド２０は、複数の第一ジグザグバネ２１と、複数の第二ジグザグバネ２２と、接続部２３と、被接続部２４と、搭載部２５とを有する。
【００１１】
複数の第一ジグザグバネ２１、複数の第二ジグザグバネ２２、接続部２３、被接続部２４、及び、搭載部２５は、装着バンド２０のバンド本体２６を形成する。第一実施形態において、装着バンド２０は、複数の第一ジグザグバネ２１、複数の第二ジグザグバネ２２、接続部２３、被接続部２４、及び、搭載部２５によって形成されている。このため、第一実施形態において、装着バンド２０とバンド本体２６とは同義である。
【００１２】
複数の第一ジグザグバネ２１及び複数の第二ジグザグバネ２２は、Ｌ方向及びＷ方向に配列されている。Ｗ方向は、Ｌ方向と交差（一例として、直交）する。
【００１３】
図２に示されるように、複数の第一ジグザグバネ２１の各々は、Ｌ方向を軸方向として形成されている。この複数の第一ジグザグバネ２１の各々は、Ｌ方向に連なる複数のＳ字形状部を有する。複数の第一ジグザグバネ２１は、装着バンド２０（バンド本体２６）における長さ方向への伸縮部を形成する。
【００１４】
一方、複数の第二ジグザグバネ２２の各々は、Ｗ方向を軸方向として形成されている。この複数の第二ジグザグバネ２２の各々は、Ｗ方向に連なる複数のＳ字形状部を有する。複数の第二ジグザグバネ２２は、装着バンド２０（バンド本体２６）における幅方向への伸縮部を形成する。
【００１５】
なお、第一ジグザグバネ２１において、Ｌ方向に連なる複数のＳ字形状部は、Ｌ方向に連なる複数のクランク形状部と捉えることも可能である。同様に、第二ジグザグバネ２２において、Ｗ方向に連なる複数のＳ字形状部は、Ｗ方向に連なる複数のクランク形状部と捉えることも可能である。
【００１６】
図３に示されるように、第一ジグザグバネ２１の外形形状は、平面視にて概略正八角形である。つまり、第一ジグザグバネ２１は、Ｗ方向に延びてＬ方向に並ぶ複数の素線部３１を有しており、この複数の素線部３１の長さ方向の端部を繋ぐと、概略正八角形が形成される。素線部３１は、Ｌ方向を板厚方向とする板状に形成されている。
【００１７】
同様に、図４に示されるように、第二ジグザグバネ２２の外形形状は、平面視にて概略正八角形である。つまり、第二ジグザグバネ２２は、Ｌ方向に延びてＷ方向に並ぶ複数の素線部３２を有しており、この複数の素線部３２の長さ方向の端部を繋ぐと、概略正八角形が形成される。素線部３２は、Ｗ方向を板厚方向とする板状に形成されている。第一ジグザグバネ２１の素線部３１と第二ジグザグバネ２２の素線部３２とは、同じ板厚で形成されている。
【００１８】
さらに、図２に示されるように、第一ジグザグバネ２１は、第二ジグザグバネ２２よりも大きさ（横幅及び長さ）が大きい。また、第一ジグザグバネ２１は、第二ジグザグバネ２２よりも大きさが大きいことにより、第二ジグザグバネ２２よりもバネ定数が小さい（変形しやすい）。このように、図１に示される装着バンド２０は、第一ジグザグバネ２１の方が第二ジグザグバネ２２よりも大きさが大きい（バネ定数が小さい）ことにより、Ｗ方向よりもＬ方向に伸びやすいという異方性を有する。
【００１９】
また、図５に示されるように、第一ジグザグバネ２１の素線部３１は、Ｗ方向に延びてＬ方向に並ぶので、第一ジグザグバネ２１は、引張及び曲げ荷重Ｆにより、Ｌ方向に良く伸び、Ｗ方向と平行な軸周りには良く曲がる。一方、図６に示されるように、第二ジグザグバネ２２の素線部３２は、Ｌ方向に延びてＷ方向に並ぶので、第二ジグザグバネ２２は、引張及び曲げ荷重Ｆが作用しても、Ｌ方向には伸びにくく、Ｗ方向と平行な軸周りには曲がりにくい。図１に示される装着バンド２０では、第一ジグザグバネ２１の方が第二ジグザグバネ２２よりも大きさが大きいので、装着バンド２０は、Ｗ方向と平行な軸周りに曲がり易いという特性も有する。
【００２０】
このような特性を発揮させるための複数の第一ジグザグバネ２１及び複数の第二ジグザグバネ２２は、より具体的には、次のように配列されている。すなわち、図７に示されるように、複数の第一ジグザグバネ２１は、Ｌ方向に連なる複数の第一ジグザグバネ２１を有する複数の第一バネ列４１を形成している。この複数の第一バネ列４１は、Ｗ方向に並んでいる。各第一バネ列４１における隣り合う第一ジグザグバネ２１の間には、連結部４３が形成されている。
【００２１】
一方、図８に示されるように、複数の第二ジグザグバネ２２は、Ｗ方向に連なる複数の第二ジグザグバネ２２を有する複数の第二バネ列４２を形成している。この複数の第二バネ列４２は、Ｌ方向に並んでいる。各第二バネ列４２における隣り合う第二ジグザグバネ２２の間には、連結部４４が形成されている。
【００２２】
また、図７に示されるように、複数の第二ジグザグバネ２２の各々は、複数の第一バネ列４１のうち、一の第一バネ列４１における連結部４３と、一の第一バネ列４１の隣の他の第一バネ列４１における連結部４３とを連結している。図２に示されるように、連結部４３と連結部４４とは、十字状に接続されている。
【００２３】
そして、複数の第一ジグザグバネ２１及び複数の第二ジグザグバネ２２は、上記配列とされることにより、Ｌ方向及びＷ方向に延びる同一面上に形成されている。また、装着バンド２０は、複数の第一ジグザグバネ２１及び複数の第二ジグザグバネ２２がＬ方向及びＷ方向に延びる同一面上に形成されることにより、板状に形成されている。
【００２４】
図１に示されるように、接続部２３は、装着バンド２０の長さ方向の一端部に形成されており、Ｗ方向に並ぶ複数の凸部５３を有している。一方、被接続部２４は、装着バンド２０の長さ方向の他端部に形成されており、Ｗ方向に並ぶ複数の凹部５４を有している。複数の凸部５３が複数の凹部５４のそれぞれに嵌合されることにより、接続部２３が被接続部２４に接続される。また、接続部２３が被接続部２４に接続されることにより、装着バンド２０は、Ｌ方向を周方向とする環状（筒状）に形成される。装着バンド２０は、接続部２３と被接続部２４との接続を解除すれば、帯状に戻すことが可能である。
【００２５】
搭載部２５は、一例として、装着バンド２０の長さ方向中央部に形成されている。この搭載部２５は、Ｌ方向を短手方向としＷ方向を長手方向とする長尺状に形成されている。この搭載部２５は、板状に形成されており、硬質に形成されている。搭載部２５に対するＬ方向の両側には、複数の第一ジグザグバネ２１及び複数の第二ジグザグバネ２２が配列されている。
【００２６】
以上の複数の第一ジグザグバネ２１、複数の第二ジグザグバネ２２、接続部２３、被接続部２４、及び、搭載部２５は、装着バンド２０に一体に形成されている。この装着バンド２０は、例えば、樹脂により形成される。装着バンド２０が樹脂により形成される場合、装着バンド２０は、例えば、三次元プリンタ、樹脂成型、及び、打抜き加工等の加工方法により製造することが可能である。
【００２７】
電子機器本体１１は、搭載部２５に搭載される。この電子機器本体１１は、例えば、センサ、演算素子、記憶素子、バッテリ、表示器、操作スイッチ、及び、筐体等を有する電子ユニットとされる。なお、電子機器本体１１として、半導体チップが用いられても良い。
【００２８】
そして、以上の構成とされた電子機器１０は、例えば、次のように使用される。つまり、図９では、電子機器１０がリストバンド型のウェアラブル機器とされており、装着バンド２０は、ユーザの手首に装着されている。また、図１０では、電子機器１０がウェストベルト型のウェアラブル機器とされており、装着バンド２０は、ユーザの腰に装着されている。さらに、図１１では、電子機器１０がヘッドバンド型のウェアラブル機器とされており、装着バンド２０は、ユーザの頭に装着されている。
【００２９】
電子機器１０は、図９〜図１１に示される使用例に限らず、例えば、指輪型やブレスレット型など、身体の上記以外の部位に装着されるタイプとすることが可能である。装着バンド２０の長さ及び幅は、装着先である身体の部位に応じて適宜設定される。
【００３０】
次に、第一実施形態の作用及び効果について説明する。
【００３１】
上述の第一実施形態によれば、図１に示されるように、装着バンド２０は、複数の第一ジグザグバネ２１及び複数の第二ジグザグバネ２２を有するので、軽量化される。しかも、装着バンド２０の長さ方向を軸方向とする第一ジグザグバネ２１は、装着バンド２０の幅方向を軸方向とする第二ジグザグバネ２２よりも大きさが大きい（バネ定数が小さい）。
【００３２】
したがって、装着バンド２０を身体に装着したときに装着バンド２０が長さ方向（周方向）に良く伸び、かつ、装着バンド２０が幅方向と平行な軸周りに良く曲がる。また、第二ジグザグバネ２２により装着バンド２０が幅方向にも伸びるので、身体の複雑な凹凸にも対応できる。以上より、装着バンド２０が身体の複雑な形状に良くなじみフレキシブルで身体に装着していても苦にならないので、装着バンド２０を身体に装着したときの快適性を向上させることができる。
【００３３】
また、装着バンド２０は、帯状に形成されており、この装着バンド２０の長さ方向の一端部には、接続部２３が形成され、装着バンド２０の長さ方向の他端部には、接続部２３と接続される被接続部２４が形成されている。したがって、接続部２３が被接続部２４に接続されることにより、装着バンド２０を環状（筒状）にすることができる。
【００３４】
しかも、装着バンド２０は、長さ方向（周方向）に伸びやすいので、装着バンド２０を環状にしたまま身体（例えば手首など）に装着することができる。これにより、腕時計のバンドのようにベルトを締めたり外したりする必要が無いので、装着バンド２０の利便性を向上させることができる。
【００３５】
また、接続部２３と被接続部２４とを接続していない状態では、装着バンド２０が帯状（平面形状）とされる。したがって、装着バンド２０を帯状の状態に製造することができるので、装着バンド２０の製造が容易であり、しかも、装着バンド２０を不使用時に帯状にすれば、装着バンド２０を収納し易くなるという利点がある。
【００３６】
また、複数の第一ジグザグバネ２１及び複数の第二ジグザグバネ２２は、装着バンド２０の長さ方向及び幅方向に延びる同一面上に形成されており、これにより、装着バンド２０は、板状とされている。したがって、装着バンド２０が薄型とされることで装着バンド２０の嵩張りを抑制することができるので、装着バンド２０を身体に装着したときの快適性をより向上させることができる。
【００３７】
また、図７に示されるように、複数の第一ジグザグバネ２１は、装着バンド２０の長さ方向に連なる複数の第一ジグザグバネ２１を有する複数の第一バネ列４１を形成している。一方、図８に示されるように、複数の第二ジグザグバネ２２は、装着バンド２０の幅方向に連なる複数の第二ジグザグバネ２２を有する複数の第二バネ列４２を形成している。また、図７に示されるように、複数の第二ジグザグバネ２２の各々は、複数の第一バネ列４１のうち、一の第一バネ列４１における連結部４３と、一の第一バネ列４１の隣の他の第一バネ列４１における連結部４３とを連結している。
【００３８】
したがって、複数の第一ジグザグバネ２１及び複数の第二ジグザグバネ２２が以上の配列とされることにより、複数の第一ジグザグバネ２１及び複数の第二ジグザグバネ２２をより密集して配置することができる。これにより、装着バンド２０のスペース効率を向上させることができる。
【００３９】
また、図１に示されるように、装着バンド２０には、複数の第一ジグザグバネ２１及び複数の第二ジグザグバネ２２とは別に、硬質の搭載部２５が設けられている。したがって、曲げに弱い電子機器本体１１を搭載部２５に搭載することができるので、電子機器本体１１の故障や損傷を抑制することができる。
【００４０】
次に、第一実施形態の変形例について説明する。
【００４１】
上述の第一実施形態において、装着バンド２０は、帯状（図１参照）に形成されているが、環状（図９〜図１１参照）に形成されても良い。装着バンド２０を環状に形成する方法としては、例えば、装着バンド２０を帯状に製造した後に、装着バンド２０の長さ方向の両端部を溶着や接着等により接合することにより、装着バンド２０を環状とする方法がある。
【００４２】
また、第一ジグザグバネ２１の外形形状は、平面視にて概略正八角形（図３参照）とされているが、図１２に示されるように、第一ジグザグバネ２１の外形形状は、平面視して概略円形とされても良い。同様に、第二ジグザグバネ２２の外形形状も、平面視にて概略正八角形（図４参照）とされているが、図１３に示されるように、第二ジグザグバネ２２の外形形状は、平面視して概略円形とされても良い。
【００４３】
また、第一ジグザグバネ２１を形成する素線部３１は、平板状（図３参照）とされているが、図１４に示されるように、第一ジグザグバネ２１を形成する素線部３１は、丸棒状とされても良い。同様に、第二ジグザグバネ２２を形成する素線部３２も、平板状（図４参照）とされているが、図１５に示されるように、第二ジグザグバネ２２を形成する素線部３２は、丸棒状とされても良い。
【００４４】
また、第一ジグザグバネ２１は、第二ジグザグバネ２２よりも大きさが大きいことにより、第二ジグザグバネ２２よりもバネ定数が小さくなっている。しかしながら、第一ジグザグバネ２１のバネ定数が第二ジグザグバネ２２のバネ定数よりも小さければ、第一ジグザグバネ２１の大きさは、第二ジグザグバネ２２の大きさよりも小さくても同じでも良い。
【００４５】
［第二実施形態］
次に、本願の開示する技術の第二実施形態を説明する。
【００４６】
図１６，図１７に示される第二実施形態に係る電子機器７０は、上述の第一実施形態に係る電子機器１０（図１参照）に対して、次のように構造が変更されている。
【００４７】
すなわち、第二実施形態に係る電子機器７０において、装着バンド２０は、バンド本体２６に加えて着脱部７１を有する。着脱部７１は、搭載部２５に設けられており、電子機器本体８１を着脱する。この着脱部７１は、一例として、一対の腕部７２を有する。一対の腕部７２は、搭載部２５の表面の法線方向に突出されている。この一対の腕部７２の先端部には、一対の腕部７２の内側に向けて突出する爪部７３が形成されている。
【００４８】
また、電子機器７０は、搭載部２５とは別体とされた電子機器本体８１を備える。この電子機器本体８１は、例えば、センサ、演算素子、記憶素子、バッテリ、表示器、操作スイッチ、及び、筐体等を有する電子ユニットとされる。電子機器本体８１が搭載部２５の所定の位置に搭載されると、一対の腕部７２が電子機器本体８１の側面に形成された溝部８３に係合されると共に、一対の爪部７３が電子機器本体８１の上面に係止され、電子機器本体８１が搭載部２５に固定される。
【００４９】
一方、搭載部２５から電子機器本体８１を取り外すときには、例えば、一対の腕部７２が互いに離間する方向に弾性変形されることで一対の腕部７２の間から電子機器本体８１が取り外される。
【００５０】
このように、第二実施形態よれば、装着バンド２０の搭載部２５に電子機器本体８１を着脱する着脱部７１が設けられているので、電子機器７０の利便性を向上させることができる。
【００５１】
なお、第二実施形態において、解除機構等により一対の腕部７２が互いに離間する方向に傾倒されることで一対の腕部７２の間から電子機器本体８１が取り外されても良い。
【００５２】
また、着脱部７１は、電子機器本体８１を着脱できれば、どのような構造でも良い。
【００５３】
［第三実施形態］
次に、本願の開示する技術の第三実施形態を説明する。
【００５４】
図１８に示される第三実施形態に係る電子機器９０は、上述の第一実施形態に係る電子機器１０（図１参照）に対して、次のように構造が変更されている。
【００５５】
すなわち、第三実施形態に係る電子機器９０において、搭載部２５には、半導体チップ９１が搭載されている。この半導体チップ９１は、「電子機器本体」の一例である。半導体チップ９１は、搭載部２５の表面に実装されていても良く、また、例えばインサート成形等により搭載部２５に埋設されていても良い。
【００５６】
また、装着バンド２０は、バンド本体２６に加えて一対の導電パターン９２を有する。導電パターン９２は、バンド本体２６のうち、搭載部２５と、この搭載部２５に隣接する幾つかの第一ジグザグバネ２１に形成されている。この導電パターン９２は、例えば薄膜等により形成されている。また、この導電パターン９２は、例えば回路の配線やアンテナ等とされており、半導体チップ９１と電気的に接続されている。
【００５７】
この導電パターン９２のうち第一ジグザグバネ２１に形成された部分は、第一ジグザグバネ２１に沿ってジグザグ状に形成されている。なお、この導電パターン９２は、搭載部２５及び第一ジグザグバネ２１の表面や裏面に形成されても良いし、例えばインサート成形等により搭載部２５及び第一ジグザグバネ２１に埋設されていても良い。
【００５８】
このように、第三実施形態によれば、導電パターン９２が装着バンド２０に一体に形成されているので、例えば装着バンド２０とは別に導電部材を用いる場合に比して、装着バンド２０の構造を簡素化することができる。これにより、電子機器９０の使い勝手を向上させることができる。
【００５９】
なお、図１９に示されるように、第三実施形態において、搭載部２５には、表示器１０２を有する電子機器本体１０１が搭載されても良い。
【００６０】
また、導電パターン９２は、バンド本体２６のうち、搭載部２５、第一ジグザグバネ２１、接続部２３、及び、被接続部２４に亘って形成されていても良い。また、導電パターン９２は、第二ジグザグバネ２２に形成されていても良い。導電パターン９２は、搭載部２５、第一ジグザグバネ２１、第二ジグザグバネ２２、接続部２３、及び、被接続部２４の少なくともいずれかに形成することが可能である。
【００６１】
また、導電パターン９２は、上述の着脱部７１を有する第二実施形態の装着バンド２０（図１６，図１７参照）に適用されても良い。
【００６２】
［第四実施形態］
次に、本願の開示する技術の第四実施形態を説明する。
【００６３】
図２０，図２１に示される第四実施形態に係る装着バンド１２０は、上述の第一実施形態に係る装着バンド２０（図１参照）に対して、次のように構造が変更されている。
【００６４】
すなわち、第四実施形態に係る装着バンド１２０において、第二ジグザグバネ２２は、第一ジグザグバネ２１よりも大きさが大きい。また、第二ジグザグバネ２２は、第一ジグザグバネ２１よりも大きさが大きいことにより、第一ジグザグバネ２１よりもバネ定数が小さい。
【００６５】
このように、第四実施形態に係る装着バンド１２０は、第二ジグザグバネ２２の方が第一ジグザグバネ２１よりも大きさが大きい（バネ定数が小さい）ことにより、装着バンド１２０の長さ方向よりも幅方向に伸びやすいという異方性を有する。また、この装着バンド１２０では、第二ジグザグバネ２２の方が第一ジグザグバネ２１よりも大きさが大きいので、装着バンド１２０は、長さ方向と平行な軸周りに曲がり易いという特性も有する。
【００６６】
この第四実施形態に係る装着バンド１２０は、例えば、装着バンド１２０の長さ方向よりも幅方向に伸びやすいという異方性、及び、長さ方向と平行な軸周りに曲がり易いという特性を活かすことができる身体の部位に適用される。
【００６７】
この第四実施形態によれば、装着バンド１２０は、複数の第一ジグザグバネ２１及び複数の第二ジグザグバネ２２を有するので、軽量化される。しかも、装着バンド１２０の幅方向を軸方向とする第二ジグザグバネ２２は、装着バンド１２０の長さ方向を軸方向とする第一ジグザグバネ２１よりも大きさが大きい（バネ定数が小さい）。
【００６８】
したがって、装着バンド１２０を身体に装着したときに装着バンド１２０が幅方向に良く伸び、かつ、装着バンド１２０が長さ方向と平行な軸周りに良く曲がる。また、第一ジグザグバネ２１により装着バンド１２０が長さ方向にも伸びるので、身体の複雑な凹凸にも対応できる。以上より、装着バンド１２０が身体の複雑な形状に良くなじみフレキシブルで身体に装着していても苦にならないので、装着バンド１２０を身体に装着したときの快適性を向上させることができる。
【００６９】
なお、第四実施形態において、第二ジグザグバネ２２は、第一ジグザグバネ２１よりも大きさが大きいことにより、第一ジグザグバネ２１よりもバネ定数が小さくなっている。しかしながら、第二ジグザグバネ２２のバネ定数が第一ジグザグバネ２１のバネ定数よりも小さければ、第二ジグザグバネ２２の大きさは、第一ジグザグバネ２１の大きさよりも小さくても同じでも良い。
【００７０】
また、上述の第一実施形態の変形例、第二実施形態の着脱部７１（図１６，図１７参照）、及び、第三実施形態の導電パターン９２（図１８，図１９参照）は、第四実施形態に係る装着バンド１２０に適用されても良い。
【００７１】
以上、本願の開示する技術の第一乃至第四実施形態について説明したが、本願の開示する技術は、上記に限定されるものでなく、上記以外にも、その主旨を逸脱しない範囲内において種々変形して実施可能であることは勿論である。
【図１】
2016166897.tif 000003
【図２】
2016166897.tif 000004
【図３】
2016166897.tif 000005
【図４】
2016166897.tif 000006
【図５】
2016166897.tif 000007
【図６】
2016166897.tif 000008
【図７】
2016166897.tif 000009
【図８】
2016166897.tif 000010
【図９】
2016166897.tif 000011
【図１０】
2016166897.tif 000012
【図１１】
2016166897.tif 000013
【図１２】
2016166897.tif 000014
【図１３】
2016166897.tif 000015
【図１４】
2016166897.tif 000016
【図１５】
2016166897.tif 000017
【図１６】
2016166897.tif 000018
【図１７】
2016166897.tif 000019
【図１８】
2016166897.tif 000020
【図１９】
2016166897.tif 000021
【図２０】
2016166897.tif 000022
【図２１】
2016166897.tif 000023
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
帯状又は環状に形成されたバンド本体の長さ方向を軸方向とすると共に、前記バンド本体の長さ方向及び幅方向に配列されて、前記バンド本体における長さ方向への伸縮部を形成する複数の第一ジグザグバネと、
前記バンド本体の幅方向を軸方向とすると共に、前記バンド本体の長さ方向及び幅方向に配列されて、前記バンド本体における幅方向への伸縮部を形成すると共に、前記複数の第一ジグザグバネとバネ定数が異なる複数の第二ジグザグバネと、
を備える電子機器の装着バンド。
【請求項２】
前記複数の第一ジグザグバネ及び前記複数の第二ジグザグバネは、前記バンド本体の長さ方向及び幅方向に延びる同一面上に形成されている、
請求項１に記載の電子機器の装着バンド。
【請求項３】
前記複数の第一ジグザグバネは、前記バンド本体の長さ方向に連なる複数の前記第一ジグザグバネを有し前記バンド本体の幅方向に並ぶ複数の第一バネ列を形成し、
前記複数の第二ジグザグバネは、前記バンド本体の幅方向に連なる複数の前記第二ジグザグバネを有し前記バンド本体の長さ方向に並ぶ複数の第二バネ列を形成し、
前記複数の第二ジグザグバネの各々は、前記複数の第一バネ列のうち、一の第一バネ列における隣り合う前記第一ジグザグバネの間の連結部と、前記一の第一バネ列の隣の他の前記第一バネ列における隣り合う前記第一ジグザグバネの間の連結部とを連結する、
請求項１又は請求項２に記載の電子機器の装着バンド。
【請求項４】
前記バンド本体は、帯状とされ、
前記バンド本体の長さ方向の一端部には、接続部が形成され、
前記バンド本体の長さ方向の他端部には、前記接続部と接続される被接続部が形成されている、
請求項１〜請求項３のいずれか一項に記載の電子機器の装着バンド。
【請求項５】
前記バンド本体は、環状とされている、
請求項１〜請求項３のいずれか一項に記載の電子機器の装着バンド。
【請求項６】
前記バンド本体には、電子機器本体が搭載される搭載部が形成されている、
請求項３〜請求項５のいずれか一項に記載の電子機器の装着バンド。
【請求項７】
前記搭載部に設けられ、前記電子機器本体を着脱する着脱部をさらに備える、
請求項６に記載の電子機器の装着バンド。
【請求項８】
前記バンド本体に形成され、前記電子機器本体と電気的に接続される導電パターンをさらに備える、
請求項６又は請求項７に記載の電子機器の装着バンド。
【請求項９】
電子機器本体と、
前記電子機器本体が搭載される装着バンドと、
を備え、
前記装着バンドは、
帯状又は環状に形成されたバンド本体の長さ方向を軸方向とすると共に、前記バンド本体の長さ方向及び幅方向に配列されて、前記バンド本体における長さ方向への伸縮部を形成する複数の第一ジグザグバネと、
前記バンド本体の幅方向を軸方向とすると共に、前記バンド本体の長さ方向及び幅方向に配列されて、前記バンド本体における幅方向への伸縮部を形成すると共に、前記複数の第一ジグザグバネとバネ定数が異なる複数の第二ジグザグバネとを有する、
電子機器。
【国際調査報告】
2016166897.tif 000024
2016166897.tif 000025
2016166897.tif 000026
2016166897.tif 000027